(57)【要約】      （修正有）【課題】全体の構造が単純化され、製造コストが削減される３６０°循環ファンを有する空気循環装置、空気清浄機、空気加湿器を提供する。【解決手段】支持台１００と、ファン２００と、遠心風車３００と、ボリュートケース４００と、駆動機構５００とを備え、支持台内には風穴１０１が設けられ、ボリュートケースが支持台と回転可能に接続され、ボリュートケースの支持台に近い側に風穴と連通する貫通孔が設けられ、ボリュートケースの側面に吹出口が設けられ、風穴内には取付部１０２が設けられ、取付部と風穴の内側壁との間には複数の接続リブ１０３が接続され、ファンは取付部に固設され、ファンのスピンドルは貫通孔を通ってボリュートケース内に伸び、遠心風車はファンのスピンドルに固定接続され、遠心風車はボリュートケース内に位置し、駆動機構はボリュートケースを回転させる。ボリュートケースが回転する間、ファンは静止しているため、ワイヤが絡まることがない。【選択図】図１
0003228004.tif 000002
【実用新案登録請求の範囲】
【請求項１】
支持台と、ファンと、遠心風車と、ボリュートケースと、駆動機構とを備え、前記支持台内には風穴が設けられ、前記ボリュートケースが前記支持台と回転可能に接続され、前記ボリュートケースの前記支持台に近い側に前記風穴と連通する貫通孔が設けられ、前記ボリュートケースの側面に吹出口が設けられ、前記風穴内には取付部が設けられ、前記取付部と前記風穴の内側壁との間には複数の接続リブが接続され、前記ファンは前記取付部に固設され、前記ファンのスピンドルは前記貫通孔を通って前記ボリュートケース内に伸び、前記遠心風車は前記ファンのスピンドルに固定的に接続され、前記遠心風車は前記ボリュートケース内に位置し、前記駆動機構は、前記ボリュートケースを回転させるように接続されることを特徴とする空気循環装置。
【請求項２】
前記支持台の頂部は前記風穴の縁部に沿って上方に第１の接続スリーブが延出され、前記ボリュートケースの底部は前記貫通孔の縁部に沿って下方に第２の接続スリーブが延出され、前記第１の接続スリーブは前記第２の接続スリーブに回転可能に被装され、又は前記第２の接続スリーブは前記第１の接続スリーブに回転可能に被装されることを特徴とする請求項１に記載の空気循環装置。
【請求項３】
前記第１の接続スリーブと前記第２の接続スリーブとの間に回転式耐摩耗スリーブ又はベアリングがさらに設けられることを特徴とする請求項２に記載の空気循環装置。
【請求項４】
前記支持台にハウジングがさらに設けられ、前記ハウジングの空洞内に前記ボリュートケースが収容され、前記ハウジングの側壁に複数の通気孔が分布されることを特徴とする請求項２に記載の空気循環装置。
【請求項５】
前記ハウジングの頂端は、下方に延出部が延出され、前記ボリュートケースの頂端は、前記延出部と回転可能に接続される接続部が上方に延出されることを特徴とする請求項４に記載の空気循環装置。
【請求項６】
前記第２の接続スリーブは、前記第１の接続スリーブの外輪に回転可能に被装され、前記駆動機構は、前記第２の接続スリーブの外輪に設けられた第１のギヤと、前記支持台に設けられた第１の駆動モータと、前記第１の駆動モータのスピンドルに設けられて、前記第１のギヤと噛合する第２のギヤと、を含み、前記第１のギヤが前記第２の接続スリーブに被されるか、又は前記第１のギヤが前記第２の接続スリーブに一体成形されることを特徴とする請求項２に記載の空気循環装置。
【請求項７】
前記接続部は、前記延出部の外輪に回転可能に被装され、前記駆動機構は、前記ハウジングの内部の頂端に設けられた第２の駆動モータと、前記接続部の外輪に設けられた第３のギヤと、前記第２の駆動モータのスピンドルに設けられて、前記第３のギヤと噛合する第４のギヤとを含むことを特徴とする請求項５に記載の空気循環装置。
【請求項８】
前記支持台の底部には、前記風穴の縁部に沿って下方にアダプタ部が延出され、前記ボリュートケースの頂部には、前記貫通孔に沿って上方に延出されるアダプタスリーブが設けられ、前記アダプタ部は前記アダプタスリーブに回転可能に接続されることを特徴とする請求項１に記載の空気循環装置。
【請求項９】
ケーシングとベースとをさらに含み、前記ケーシングの上端が前記支持台の底端に被装され、前記ケーシングが前記ベースに支持され、前記ケーシングの側壁には、複数の通気孔が分布され、前記ベースの頂端に支持部が上方に延出され、前記ボリュートケースの底部に前記支持部に回転可能に接続された支持スリーブが下方に延出されることを特徴とする請求項８に記載の空気循環装置。
【請求項１０】
前記アダプタスリーブは、前記アダプタ部の輪に回転可能に被装され、前記駆動機構は、前記アダプタスリーブの外輪に設けられた第５のギヤと、前記支持台に設けられた第３の駆動モータと、前記第３の駆動モータのスピンドルに設けられた第６のギヤと、を含み、前記第６のギヤが前記第５のギヤに噛合することを特徴とする請求項８に記載の空気循環装置。
【請求項１１】
前記支持スリーブは、前記支持部に回転可能に被装され、前記駆動機構は、前記支持スリーブの外輪に設けられた第７のギヤと、前記ベースに設けられた第４の駆動モータと、前記第４の駆動モータのスピンドルに設けられて、前記第７のギヤに噛合する第８のギヤとを含むことを特徴とする請求項９に記載の空気循環装置。
【請求項１２】
請求項１〜７のいずれか１項に記載の空気循環装置と、フィルタエレメントと、ボトムケースと、を備え、前記フィルタエレメントは前記ボトムケース内に設けられ、前記支持台は前記ボトムケースの上端に設けられ、前記支持台の底面は前記フィルタエレメントの頂部に密着し、前記風穴は前記フィルタエレメントの内孔に連通し、前記ボトムケースの底部に前記フィルタエレメントの底部に密着する密着部が設けられ、前記ボトムケースの側壁には複数の吸気口が分布されることを特徴とする空気清浄機。
【請求項１３】
請求項１及び８〜１１のいずれか１項に記載の空気循環装置と、フィルタエレメントと、を備え、前記フィルタエレメントは前記支持台に設けられ、前記フィルタエレメントの底部は前記風穴の上端を被覆し、前記支持台の縁部は上方に延びてシリンダを形成し、前記フィルタエレメントは前記シリンダの空洞内に収容され、前記シリンダの側壁にはそれぞれ複数の吸気口を有し、前記シリンダの頂部には封止蓋が設けられ、前記封止蓋は前記フィルタエレメントにおける開口を封止するために用いられることを特徴とする空気清浄機。
【請求項１４】
前記支持台の底部には支持ケースがさらに設けられ、前記ファン及び前記ボリュートケースは前記支持ケース内に収容され、前記支持ケースの側壁には複数の吹出口が分布されることを特徴とする請求項１３に記載の空気清浄機。
【請求項１５】
請求項１〜７のいずれか１項に記載の空気循環装置と、霧化装置と、を備え、前記支持台は前記霧化装置の吹出孔の上端に設けられることを特徴とする空気加湿器。
【考案の詳細な説明】
【技術分野】
【０００１】
本考案は、家電の分野に関し、特に空気循環装置及び空気清浄機に関するものである。
【背景技術】
【０００２】
空気循環装置は、空調室内の空気循環ファンのように、空気を流動させて周囲環境の空気を均一に混合し、空気の温度を同じくするためのものである。ファンのように人体やその他の物体に対して流れる空気流を吹き出して放熱降温の効果も図る。また、エアドライヤーやグラウンドエアドライヤーなどのように、周囲の物体や地面を高速に乾燥させるためにも用いることができる。
【０００３】
現在の空気循環ファンは、主に２つのタイプに分類され、１つは、常に所定の位置に向かって風を吹き出す固定タイプであり、もう１つは、通常左右にスイングするスイングタイプであり、固定タイプとスイングタイプは、空気流の吹き出す範囲に限りがある。例えば、複合オフィス、デパートあるいは待合室などの公共の場所では、広範囲に風を吹き出すことができず、気流が全体の空間をカバーできるようにするためには、複数台のファンを用いて室内全体の空間の空気の循環を図る必要がある。空気流の範囲が小さいという問題を解消するために、３６０°循環ファンも次第に生活と仕事に使用される。しかしながら、従来の３６０°循環ファンは、モータとヘッドとを動力によって共に回転させ、モータは、ワイヤで電気的に接続される必要があるため、モータが回転する際、ワイヤの巻き付きの問題を回避するために、現在、電気的に接続されるために回転式電気コネクタを使用することが一般的である。このため、循環ファンのコストが高くなり、また構造が複雑になり、回転ジョイントの摩耗を招き、全体の使用寿命が短くなり、接触摩擦式通電を採用しているため、回転機構は接触抵抗が増加し、温度上昇やエネルギー消費の増加を招く。
【考案の概要】
【考案が解決しようとする課題】
【０００４】
本考案の目的は、従来の３６０°循環ファンが３６０°回転を実現するために構造が複雑でコストが高いという問題、及び使用寿命の低下とエネルギー消費の増加という問題を解消する空気循環装置を提供することにある。
【課題を解決するための手段】
【０００５】
上記目的を達成するために、本考案の実施例にて提供される空気循環装置は、支持台と、ファンと、遠心風車と、ボリュートケースと、駆動機構とを備え、前記支持台には風穴が設けられ、前記ボリュートケースが前記支持台と回転可能に接続され、前記ボリュートケースの前記支持台に近い側に前記風穴と連通する貫通孔が設けられ、前記ボリュートケースの側面に吹出口が設けられ、前記風穴内には取付部が設けられ、前記取付部と前記風穴の内側壁との間には複数の接続リブが接続され、前記ファンは前記取付部に固設され、前記ファンのスピンドルは前記貫通孔を通って前記ボリュートケース内に伸び、前記遠心風車は前記ファンのスピンドルに固定的に接続され、前記遠心風車は前記ボリュートケース内に位置し、前記駆動機構は、前記ボリュートケースを回転させるように接続される。
【０００６】
さらに、前記支持台の頂部は前記風穴の縁部に沿って上方に第１の接続スリーブが延出され、前記ボリュートケースの底部は前記貫通孔の縁部に沿って下方に第２の接続スリーブが延出され、前記第１の接続スリーブは前記第２の接続スリーブに回転可能に被装され、又は前記第２の接続スリーブは前記第１の接続スリーブに回転可能に被装される。
【０００７】
さらに、前記第１の接続スリーブと前記第２の接続スリーブとの間に回転式耐摩耗スリーブ又はベアリングがさらに設けられる。
【０００８】
さらに、前記支持台にハウジングがさらに設けられ、前記ハウジングの空洞内に前記ボリュートケースが収容され、前記ハウジングの側壁に複数の通気孔が分布される。
【０００９】
さらに、前記ハウジングの頂端は、下方に延出部が延出され、前記ボリュートケースの頂端は、前記延出部と回転可能に接続される接続部が上方に延出される。
【００１０】
さらに、前記第２の接続スリーブは、前記第１の接続スリーブの外輪に回転可能に被装され、前記駆動機構は、前記第２の接続スリーブの外輪に設けられた第１のギヤと、前記支持台に設けられた第１の駆動モータと、前記第１の駆動モータのスピンドルに設けられて、前記第１のギヤと噛合する第２のギヤと、を含み、前記第１のギヤが前記第２の接続スリーブに被装されるか、又は前記第１のギヤが前記第２の接続スリーブに一体成形される。
【００１１】
さらに、前記接続部は、前記延出部の外輪に回転可能に被装され、前記駆動機構は、前記ハウジングの内部の頂端に設けられた第２の駆動モータと、前記接続部の外輪に設けられた第３のギヤと、前記第２の駆動モータのスピンドルに設けられて、前記第３のギヤと噛合する第４のギヤとを含む。
【００１２】
さらに、前記支持台の底部には、前記風穴の縁部に沿って下方にアダプタ部が延出され、前記ボリュートケースの頂部には、前記貫通孔に沿って上方に延出されるアダプタスリーブが設けられ、前記アダプタ部は前記アダプタスリーブに回転可能に接続される。
【００１３】
さらに、ケーシングとベースとをさらに含み、前記ケーシングの上端が前記支持台の底端に被装され、前記ケーシングが前記ベースに支持され、前記ケーシングの側壁には、複数の通気孔が分布され、前記ベースの頂端に支持部が上方に延出され、前記ボリュートケースの底部に前記支持部に回転可能に接続された支持スリーブが下方に延出される。
【００１４】
さらに、前記アダプタスリーブは、前記アダプタ部の輪に回転可能に被装され、前記駆動機構は、前記アダプタスリーブの外輪に設けられた第５のギヤと、前記支持台に設けられた第３の駆動モータと、前記第３の駆動モータのスピンドルに設けられた第６のギヤと、を含み、前記第６のギヤが前記第５のギヤに噛合する。
【００１５】
さらに、前記支持スリーブは、前記支持部に回転可能に被装され、前記駆動機構は、前記支持スリーブの外輪に設けられた第７のギヤと、前記ベースに設けられた第４の駆動モータと、前記第４の駆動モータのスピンドルに設けられて、前記第７のギヤに噛合する第８のギヤとを含む。
【００１６】
空気清浄機であって、前記空気循環装置を備え、フィルタエレメントと、ボトムケースと、をさらに備え、前記フィルタエレメントは前記ボトムケース内に設けられ、前記支持台は前記ボトムケースの上端に設けられ、前記支持台の底面は前記フィルタエレメントの頂部に密着し、前記風穴は前記フィルタエレメントの内孔に連通し、前記ボトムケースの底部に前記フィルタエレメントの底部に密着する密着部が設けられ、前記ボトムケースの側壁には複数の吸気口が分布される。
【００１７】
空気清浄機であって、前記空気循環装置と、フィルタエレメントと、を備え、前記フィルタエレメントは前記支持台に設けられ、前記フィルタエレメントの底部は前記風穴の上端を被覆し、前記支持台の縁部は上方に延びてシリンダを形成し、前記フィルタエレメントは前記シリンダの空洞内に収容され、前記シリンダの側壁にはそれぞれ複数の吸気口を有し、前記シリンダの頂部には封止蓋が設けられ、前記封止蓋は前記フィルタエレメントにおける開口を封止するために用いられる。
【００１８】
さらに、前記支持台の底部には支持ケースがさらに設けられ、前記ファン及び前記ボリュートケースは前記支持ケース内に収容され、前記支持ケースの側壁には複数の吹出口が分布される。
【００１９】
空気加湿器であって、前記空気循環装置を備え、霧化装置をさらに備え、前記支持台は前記霧化装置の空気流出孔の上端に設けられる。
【考案の効果】
【００２０】
本考案の実施例にて提供される空気循環装置における上記１つ又は複数の技術的解決手段は、少なくとも以下の技術的効果を有する。
【００２１】
１、遠心風車のファンの高速回転により、遠心風車の羽根がボリュートケース内の空気をボリュートケースの吹出口からはね上げるとともに、外部の空気が風穴からボリュートケース内に入り込み、このようにボリュートケース内の空気を絶えず吹き出され、空気の循環を実現し、吹出口から吹き出される風で放熱冷却及び室内全体の空気の循環を実現する。駆動機構がボリュートケースを回転させて３６０°回転を実現するが、従来の３６０°ファンに代えて、ボリュートケースが回転する間、ファンは常に静止しているため、ワイヤが絡まる問題が回避され、全体の構造が単純化され、製造コストが削減される。
【００２２】
２、遠心風車は、ボリュートケース内に収容されており、遠心風車の露出を回避するとともに、吹出口がボリュートケースの側面にあるので、異物がボリュートケース内部に落下し、高速回転している遠心風車に衝撃的なダメージを与えることを防止できる。
【図面の簡単な説明】
【００２３】
本考案の実施例における技術的解決手段をより明確に説明するために、以下、実施例又は従来技術の説明に必要な図面を簡単に説明するが、当然ながら、以下の説明における図面は本考案のいくつかの実施例に過ぎず、当業者であれば、創造的な労力なしにこれらの図面に基づいて他の図面を得ることができる。
【図１】本考案の実施例にて提供される空気循環装置の実施例１の断面図である。
【図２】空気循環装置１の分解図である。
【図３】本考案の実施例にて提供される空気循環装置の実施例２の断面図である。
【図４】本考案の実施例にて提供される空気循環装置の実施例２の内部の分解図である。
【図５】本考案の実施例にて提供される空気清浄機の一実施例の断面図である。
【図６】本考案の実施例にて提供される空気清浄機の他の実施例の断面図である。
【考案を実施するための形態】
【００２４】
以下、本考案の実施例について詳細に説明するが、前記実施例を図面に示し、同一又は類似の符号は、同一又は類似の要素、又は同一又は類似の機能を有する要素を示す。以下、図面を参照して説明する実施例は例示的なものであり、本考案の実施例を説明するためのものであり、本考案を限定するものと解釈されるためのものではない。
【００２５】
本考案の実施例の説明において、「長さ」、「幅」、「上」、「下」、「前」、「後」、「左」、「右」、「鉛直」、「水平」、「頂部」、「底部」、「内側」、「外側」などの用語が示す向き又は位置関係は、図面に示す向き又は位置関係に基づくものであり、本考案の実施例の説明の便宜及び説明の簡略化のためのものであり、言及される装置又は要素が特定の向きを有するか、又は特定の向きで構成及び動作しなければならないことを示す又は示唆するものではない。従って、本考案を限定するものと解釈されるべきではないことを理解されたい。
【００２６】
さらに、「第１の」、「第２の」の用語は、説明の目的でのみ使用され、相対的な重要性を示し又は示唆するか、又は示される技術的特徴の数を示唆すると理解されるべきではない。したがって、「第１の」、「第２の」を定義する特徴は、明示的又は暗示的に、１つ又は複数のその特徴を含み得る。本考案の実施例の説明において、特に限定しない限り、「複数」は２つ以上を意味する。
【００２７】
本考案の実施例において、特に明示的に規定及び限定されない限り、「装着」、「連結」、「接続」、「固定」などの用語は、広い意味で理解されるべきであり、例えば、固定的な接続、取り外し可能な接続、又は一体型でもよいし、機械的接続、電気的接続であってもよいし、直接的に接続されていても、介在物を介して間接的に接続されていてもよいし、２つの素子の内部の連通、又は２つの素子の相互作用関係であってもよい。当業者であれば、上記用語の具体的な意味は、特定の状況に応じて理解することができる。
【００２８】
本考案の一実施例では、図１〜４に示すように、空気循環装置１は、支持台１００と、ファン２００と、遠心風車３００と、ボリュートケース４００と、駆動機構５００とを備える。前記支持台１００内には風穴１０１が設けられ、前記ボリュートケース４００が前記支持台１００と回転可能に接続され、前記ボリュートケース４００の前記支持台１００に近い側に前記風穴１０１と連通する貫通孔４０１が設けられ、前記ボリュートケース４００の側面に吹出口４０２が設けられている。前記風穴１０１内には取付部１０２が設けられ、前記取付部１０２と前記風穴１０１の内側壁との間には複数本の接続リブ１０３が接続されている。前記ファン２００は前記取付部１０２に固設され、前記ファン２００のスピンドルは前記貫通孔４０１を通って前記ボリュートケース４００内に伸び、前記遠心風車３００は前記ファン２００のスピンドルに固定的に接続され、前記遠心風車３００は前記ボリュートケース４００内に位置する。前記駆動機構５００は、前記ボリュートケース４００を回転駆動するように前記ボリュートケース４００に接続される。本実施例では、遠心風車３００を駆動して回転させると、遠心風車３００の羽根がボリュートケース４００内の空気を吹出口４０２からはね上げるとともに、外部の空気が風穴１０１からボリュートケース４００内に入り込むので、吹出口４０２からは継続的に外に風が吹き出され、空気の対流が形成され、周囲の空気が循環する。同時に、吹き出された気流は、人体に吹きつけられて放熱冷却の効果を奏することができ、地面、又は他の物体に吹きつけられて、地面又は他の物体を急速に乾燥させるために使用することもできる。駆動機構５００によってボリュートケース４００を回転させ、吹出口４０２を連続的に回転させることができ、したがって、従来の３６０°回転式ファンを取り替えることができる。ボリュートケース４００を回転させるだけで、ファン２００は動かないので、配線の絡まりの問題がなくなり、全体の構造が簡単になり、製造コストが低くなる。また、遠心風車３００は、ボリュートケース４００内に収容され、遠心風車３００の露出を回避するとともに、吹出口４０２がボリュートケース４００の側面にあるので、異物がボリュートケース４００の内部に落下し、高速回転している遠心風車３００に衝撃的なダメージを与えることを防止できる。
【００２９】
図１及び図２を参照すると、ボリュートケース４００と支持台１００との回転可能な接続の実施例として、前記支持台１００の頂部は、前記風穴１０１の縁部に沿って上方に第１の接続スリーブ１１０が延出され、前記ボリュートケース４００の底部は前記貫通孔４０１の縁部に沿って下方に第２の接続スリーブ４１０が延出され、前記第１の接続スリーブ１１０は前記第２の接続スリーブ４１０に回転可能に被装され、又は前記第２の接続スリーブ４１０は前記第１の接続スリーブ１１０に回転可能に被装される。第１の接続スリーブ１１０と第２の接続スリーブ４１０との回転可能な接続により、ボリュートケース４００と支持台１００との回転可能な接続が実現される。
【００３０】
さらに、前記第１の接続スリーブ１１０と前記第２の接続スリーブ４１０との間には、回転式耐摩耗スリーブ又はベアリングがさらに設けられる。本実施例では、回転式耐摩耗スリーブ又はベアリングを増加させることにより、第１の接続スリーブ１１０と第２の接続スリーブ４１０との摩擦を効果的に減少させることができ、ボリュートケース４００の正常な動作を保証し、摩耗を減少させることができる。
【００３１】
さらに、図１及び図２を参照すると、前記支持台１００には、さらにハウジング１１１が設けられ、前記ハウジング１１１の空洞内に前記ボリュートケース４００が収容され、前記ハウジング１１１の側壁に複数の通気孔１１２が分布される。本実施例は、主に人体温度の低減のために用いられ、具体的には、遠心風車３００からはね上げられた高速気流がハウジング１１１により緩衝された後、通気孔１１２を通して人体に吹き付けられることにより、気流が直接吹出口４０２から吹き出されて風速が過大となり、人体に不快感を与えるという問題を回避することができる。
【００３２】
ボリュートケース４００の回転時の安定性を高めるために、本実施例では、前記ハウジング１１１の頂端は、下方に延出部１１３が延出される。具体的に、図１及び図２を参照すると、前記ボリュートケース４００の頂端は、前記延出部１１３と回転可能に接続される接続部４１１が上方に延出される。本実施例では、ボリュートケース４００の上下両端を位置規制することにより、これを回転させた際に、より安定的である。
【００３３】
さらに、駆動機構５００は、ボリュートケース４００の回転を駆動する一実施例において、具体的に、図１及び図２を参照すると、前記第２の接続スリーブ４１０は、前記第１の接続スリーブ１１０の外輪に回転可能に被装され、前記駆動機構５００は、第１のギヤ５０１と、第１の駆動モータ５０２と、第２のギヤ５０３とを含み、前記第２の接続スリーブ４１０の外輪に第１のギヤ５０１が設けられ、前記支持台１００に第１の駆動モータ５０２が設けられ、前記第１の駆動モータ５０２のスピンドルに前記第１のギヤ５０１と噛合する第２のギヤ５０３が設けられ、前記第１のギヤ５０１が前記第２の接続スリーブ４１０に被装されるか、又は前記第１のギヤ５０１が前記第２の接続スリーブ４１０の外輪に一体成形される。本実施例では、第１の駆動モータ５０２のスピンドルにより第２のギヤ５０３を回転させ、第２のギヤ５０３と第１のギヤ５０１とが噛合することにより、ボリュートケース４００を回転させる。
【００３４】
また、消費者の使用ニーズに応えるためには、本実施例の第１の駆動モータ５０２は、送風が少ない場合や、空気の対流が発生する場合など、ボリュートケース４００が狭い範囲で揺動する場合の同期モータであるため、ボリュートケース４００の両側に障害物がそれぞれ位置すればよい。ボリュートケース４００が回転する際に障害物に当たると、同期モータが逆方向に回転してボリュートケース４００が左右に揺動する効果を奏することができ、必要に応じて２つの障害物の間の位置を調整してボリュートケース４００の振れ角度を調整することができ、消費者の使用ニーズに応えることができる。
【００３５】
さらに、駆動機構５００がボリュートケース４００を回転させる別の実施形態では、駆動機構５００は第２の駆動モータと、第３のギヤと、第４のギヤとを含む。前記接続部４１１は、前記延出部１１３の外輪に回転可能に被装され、前記ハウジング１１１の内部の頂端に第２の駆動モータが設けられ、前記接続部４１１の外輪に第３のギヤが設けられ、前記第２の駆動モータのスピンドルに前記第３のギヤと噛合する第４のギヤが設けられる。本実施形態は、上記の駆動方式と同一であるため、重複を避けるため、対応する図面及び詳細な説明を省略する。さらに、前記第２の駆動モータは、同期モータである。
【００３６】
ボリュートケース４００と支持台１００との回転可能な取り付けの他の実施例は、図３及び図４を参照すると、具体的には、前記支持台１００の底部は、前記風穴１０１の縁部に沿って下方にアダプタ部１２０が延出され、前記ボリュートケース４００の頂部には、前記貫通孔４０１に沿って上方に延出されるアダプタスリーブ４２０が設けられ、前記アダプタ部１２０は前記アダプタスリーブ４２０に回転可能に接続される。本実施例では、アダプタスリーブ４２０がアダプタ部１２０と回転可能に接続されることにより、ボリュートケース４００が支持台１００の底部に回転可能に接続される。
【００３７】
さらに、図３及び図４を参照すると、空気循環装置１が底面又はテーブル面に支持され、ボリュートケース４００の動作の安定性を高めるために、本願が提供する実施例は、前記空気循環装置１が、ケーシング６００とベース７００とをさらに含み、前記ケーシング６００の上端が前記支持台１００の底端に被装され、前記ケーシング６００が前記ベース７００に支持され、前記ケーシング６００の側壁には、複数の通気孔６０１が分布され、前記ベース７００の頂端に支持部７０１が上方に延出され、前記ボリュートケース４００の底部に前記支持部７０１に回転可能に接続された支持スリーブ４２１が下方に延出される。本実施例では、空気循環装置１全体が机の上や床の上に立つことができるように、ケーシング６００によって支持台１００を支持する。本実施例では、ケーシング６００によって空気流が緩衝され、空気流が直接吹出口４０２から吹き出されて風速が過大となり、人体に不快感を与えるという問題を回避することができる。
【００３８】
さらに、駆動機構５００は、図３及び図４を参照すると、ボリュートケース４００の回転を駆動する一実施形態では、前記支持台１００上に設けられる。前記駆動機構５００は、第５のギヤ５１１と、第３の駆動モータ５１２と、第６のギヤ５１３とを含む。前記アダプタスリーブ４２０は、前記アダプタ部１２０の輪に回転可能に被装され、そのアダプタスリーブ４２０の外輪には第５のギヤ５１１が設けられ、前記支持台１００には第３の駆動モータ５１２がさらに設けられ、前記第３の駆動モータ５１２のスピンドルには第６のギヤ５１３が設けられ、前記第６のギヤ５１３は前記第５のギヤ５１１と噛合する。さらに、前記第３の駆動モータ５１２は同期モータである。
【００３９】
さらに、前記駆動機構５００によりボリュートケース４００を回転させる他の実施形態において、具体的には、ベース７００上に前記駆動機構５００が設けられ、具体的な実施形態は、前記支持スリーブ４２１が前記支持部７０１に回転可能に設けられ、前記支持スリーブ４２１の外輪に第７のギヤが設けられ、前記ベース７００上に第４の駆動モータが設けられ、前記第４の駆動モータのスピンドルに前記第７のギヤと噛合する第８のギヤが設けられる。
【００４０】
空気清浄機であって、図５を参照すると、支持台１００と、ファン２００と、遠心風車３００と、ボリュートケース４００と、駆動機構５００と、フィルタエレメント８００と、ボトムケース９００とを含む。前記支持台１００内には、風穴１０１が設けられ、前記ボリュートケース４００は、前記支持台１００と回転可能に接続され、前記ボリュートケース４００の前記支持台１００に近い側に前記風穴１０１と連通する貫通孔４０１が設けられ、前記ボリュートケース４００の側面に吹出口４０２が設けられている。前記風穴１０１内には取付部１０２が設けられ、前記取付部１０２と前記風穴１０１の内側壁との間には複数の接続リブ１０３が接続されている。前記ファン２００は前記取付部１０２に固設され、前記ファン２００のスピンドルは前記貫通孔４０１を通って前記ボリュートケース４００内に伸び、前記遠心風車３００は前記ファン２００のスピンドルに固定的に接続され、前記遠心風車３００は前記ボリュートケース４００内に位置し、前記駆動機構５００は、前記ボリュートケース４００を回転駆動するように前記ボリュートケース４００に接続される。前記フィルタエレメント８００は前記ボトムケース９００内に設けられ、前記支持台１００は前記ボトムケース９００の上端に設けられ、前記支持台１００の底面は前記フィルタエレメント８００の頂部に密着し、前記風穴１０１は前記フィルタエレメント８００の内孔に連通し、前記ボトムケース９００の底部に前記フィルタエレメント８００の底部に密着する密着部９０１が設けられ、前記ボトムケース９００の側壁には複数の吸気口９０２が分布される。本実施例では、ファン２００により遠心風車３００を回転させる際、ボリュートケース４００の内部に負圧が発生するので、外部の空気が吸気口９０２からボトムケース９００内に入り込み、フィルタエレメント８００で濾過された後、ボリュートケース４００内に入り、遠心風車３００によって浄化された空気が高速ではね上げられて空気循環浄化が行われ、ボリュートケース４００が回転することによって浄化された空気が周囲に吹き出され、浄化された空気に広くカバーされる。
【００４１】
さらに、前記支持台１００は、前記ボトムケース９００と取り外し可能に接続されるが、本実施例では、空気循環装置１を取り外して単独でファンとして使用することもできるし、取り外した後に空気循環装置を床面に置いて、床面に対する速やかな乾燥の役割を果たすこともできる。
【００４２】
空気清浄機であって、図６を参照すると、支持台１００と、ファン２００と、遠心風車３００と、ボリュートケース４００と、駆動機構５００と、フィルタエレメント８００とを含む。前記支持台１００内には、風穴１０１が設けられ、前記ボリュートケース４００は、前記支持台１００と回転可能に接続され、前記ボリュートケース４００の前記支持台１００に近い側に前記風穴１０１と連通する貫通孔４０１が設けられ、前記ボリュートケース４００の側面に吹出口４０２が設けられている。前記風穴１０１内には取付部１０２が設けられ、前記取付部１０２と前記風穴１０１の内側壁との間には複数の接続リブ１０３が接続されている。前記ファン２００は前記取付部１０２に固設され、前記ファン２００のスピンドルは前記貫通孔４０１を通って前記ボリュートケース４００内に伸び、前記遠心風車３００は前記ファン２００のスピンドルに固定的に接続され、前記遠心風車３００は前記ボリュートケース４００内に位置し、前記駆動機構５００は、前記ボリュートケース４００を回転駆動するように前記ボリュートケース４００に接続される。前記フィルタエレメント８００は前記支持台１００に設けられ、前記フィルタエレメント８００の底部は、前記風穴１０１の上端を覆い被さり、前記支持台１００の縁部は上方に延びてシリンダ１３０が形成され、前記フィルタエレメント８００は前記シリンダ１３０の空洞内に収容され、前記シリンダ１３０の側壁にはそれぞれ複数の吸気口１３１を有し、前記シリンダ１３０の頂部には封止蓋１３２が設けられ、前記封止蓋１３２は前記フィルタエレメント８００における開口を封止するために用いられる。本実施例では、ファン２００により遠心風車３００を回転させる際、ボリュートケース４００の内部に負圧が発生するので、外部の空気が吸気口１３１からシリンダ１３０内に入り込み、フィルタエレメント８００で濾過された後、ボリュートケース４００内に入り、遠心風車３００によって浄化された空気が高速ではね上げられて空気循環浄化が行われ、ボリュートケース４００が回転することによって浄化された空気が周囲に吹き出され、浄化された空気に広くカバーされる。また、本実施例では、清浄化された空気を人体に吹き付けることで、人体に対する放熱と冷却を図りながら、浄化された空気を使用者に呼吸させることができ、多機能化を図ることができる。
【００４３】
さらに、前記支持台１００の底部には支持ケース１４０がさらに設けられ、前記ファン２００及び前記ボリュートケース４００は前記支持ケース１４０内に収容され、前記支持ケース１４０の側壁には複数の吹出口１４１が分布される。本実施例では、支持ケース１４０によって加湿器全体を支持するとともに、支持ケース１４０の内側壁によって浄化された空気を緩衝することで、空気流が過大となって人体に直接当たることを回避する。
【００４４】
空気加湿器であって、前記空気循環装置１を備え、霧化装置をさらに備え、前記支持台１００は前記霧化装置の空気流出孔の上端に設けられる。本実施例では、霧化装置で発生したミストは、空気循環装置１により室内の四方に水蒸気を吹き付けて空気に加湿効果をもたらす。
【００４５】
上記の説明は、本考案の好ましい実施例に過ぎず、本考案を限定するものではなく、本考案の精神と原理内で行われるあらゆる修正、同等置換及び改良などは、いずれも本考案の保護範囲内に含まれるべきである。
【図１】
0003228004.tif 000003
【図２】
0003228004.tif 000004
【図３】
0003228004.tif 000005
【図４】
0003228004.tif 000006
【図５】
0003228004.tif 000007
【図６】
0003228004.tif 000008